(57)【要約】【課題】筐体の狭小部位に配置されたコネクタに対してカード部材を容易、かつ、確実に挿脱できる電子機器を提供する。【解決手段】電子機器１０は、筐体と、回路基板と、カード部材１が挿入可能なコネクタ１６と、コネクタ１６の内側に配置されたレバー部材１７とを備え、レバー部材１７が、コネクタ１６の内側におけるカード部材１の挿脱方向に沿う内面に沿って配置された第１部材２０と、第１部材２０に連結され、コネクタ１６の内側においてカード部材１の挿脱方向奥側端面に当接可能な第２部材２１と、第１部材２０に連結され、コネクタ１６の外側においてカード部材１の挿脱方向手前側の少なくとも片面に沿う第３部材２２とを備える。【選択図】図４
2012155676.tif 000002
【特許請求の範囲】
【請求項１】
筐体と、
前記筐体に収容された回路基板と、
前記回路基板に実装され、板状のカード部材が挿入可能なコネクタと、
前記コネクタの内側に配置されたレバー部材とを備え、
前記レバー部材が、前記コネクタの内側における前記カード部材の挿脱方向に沿う内面に沿って配置された第１部材と、
前記第１部材に連結され、前記コネクタの内側において前記カード部材の挿脱方向奥側端面に当接可能な第２部材と、
前記第１部材に連結され、前記コネクタの外側において前記カード部材の挿脱方向手前側の少なくとも片面に沿う第３部材とを備える電子機器。
【請求項２】
請求項１に記載の電子機器において、
前記第３部材の厚み寸法が、前記コネクタの厚み寸法よりも大きい電子機器。
【請求項３】
請求項１または請求項２に記載の電子機器において、
前記第３部材が前記カード部材の両面に沿う電子機器。
【請求項４】
請求項１ないし請求項３のうちのいずれか１項に記載の電子機器において、
前記第３部材に接続され、前記カード部材から離れる方向に突出する第４部材を備える電子機器。
【請求項５】
請求項１ないし請求項４のうちのいずれか１項に記載の電子機器において、
前記コネクタに挿入された前記カード部材の挿脱方向手前側の端面と、
前記第３部材における挿脱方向手前側の端面とが略同一面に沿う電子機器。
【発明の詳細な説明】
【技術分野】
【０００１】
本発明は、携帯電話等の小型の電子機器に関し、特に電子機器に挿脱自在に装着されるＩＣカードやＰＣカード等のカードの挿脱構造に関する。
【背景技術】
【０００２】
従来より、カードスロットの脇に設けられているイジェクトレバーが押圧されることにより、ＰＣカードと本体部内のコネクタとの係合が外れ、ＰＣカードがカードスロットから引き出される電子機器が知られている（例えば、特許文献１参照）。
【先行技術文献】
【特許文献】
【０００３】
【特許文献１】特開平４−７１０８８号公報（図２、実施例の欄）
【発明の概要】
【発明が解決しようとする課題】
【０００４】
特許文献１に記載の電子機器は、ボタンを押すとレバーを介してＰＣカードの挿脱方向奥側の端面を挿脱方向手前側に押圧し、カードスロットからＰＣカードの挿脱方向手前側の端部が露出する。
特許文献１に記載の電子機器は、使用者が、カードスロットから露出したＰＣカードの挿脱方向手前側の端部を指で摘んで引き出す。
ところで、携帯電話等の小型の電子機器において、ＳＩＭカード、メモリカード等のカード部材が採用されているが、筐体が小型であるためカード部材を厚み方向に使用者が指で挟むための空間をカード部材の下側に確保できない。
そのため、携帯電話等の小型の電子機器においては、前述したカードスロットは採用できない。
すなわち、近年の携帯電話では、筐体から電池蓋を取り外し、電池収容部から電池パックを取り外すとコネクタが露呈する構造が多用されつつある。
この場合、コネクタに対してカード部材を挿脱するにあたって、コネクタから端部が露出してもカード部材の下側に指が入るほどのスペースはないため、作業に手間が掛かる。
従って、筐体の狭小部位においてコネクタに対してＳＩＭカード、メモリカード等のカード部材を容易、かつ、確実に挿脱できる構造が求められていた。
【０００５】
本発明は、従来の問題を解決するためになされたもので、その目的は、筐体の狭小部位に配置されたコネクタに対してカード部材を容易、かつ、確実に挿脱できる電子機器を提供することを目的とする。
【課題を解決するための手段】
【０００６】
本発明に係る電子機器は、筐体と、前記筐体に収容された回路基板と、前記回路基板に実装され、板状のカード部材が挿入可能なコネクタと、前記コネクタの内側に配置されたレバー部材とを備え、前記レバー部材が、前記コネクタの内側における前記カード部材の挿脱方向に沿う内面に沿って配置された第１部材と、前記第１部材に連結され、前記コネクタの内側において前記カード部材の挿脱方向奥側端面に当接可能な第２部材と、前記第１部材に連結され、前記コネクタの外側において前記カード部材の挿脱方向手前側の少なくとも片面に沿う第３部材とを備える。
【０００７】
本発明に係る電子機器は、前記第３部材の厚み寸法が、前記コネクタの厚み寸法よりも大きい。
【０００８】
本発明に係る電子機器は、前記第３部材が前記カード部材の両面に沿う。
【０００９】
本発明に係る電子機器は、前記第３部材に接続され、前記カード部材から離れる方向に突出する第４部材を備える。
【００１０】
本発明に係る電子機器は、前記コネクタに挿入された前記カード部材の挿脱方向手前側の端面と、前記第３部材における挿脱方向手前側の端面とが略同一面に沿う。
【発明の効果】
【００１１】
本発明に係る電子機器によれば、筐体の狭小部位に配置されたコネクタに対してカード部材を容易、かつ、確実に挿脱できるという効果を奏する。
【図面の簡単な説明】
【００１２】
【図１】本発明に係る第１実施形態の電子機器のロワーケースとロワーカバーとの分解斜視図
【図２】本発明に係る第１実施形態の電子機器のカード部材の装填状態の外観斜視図
【図３】本発明に係る第１実施形態の電子機器のカード部材の取出状態の外観斜視図
【図４】本発明に係る第１実施形態の電子機器のカード部材の装填時のコネクタ周りの斜め上方から視た外観斜視図
【図５】本発明に係る第１実施形態の電子機器のカード部材の装填状態のコネクタ周りの斜め上方から視た外観斜視図
【図６】本発明に係る第１実施形態の電子機器のカード部材の取出時のコネクタ周りの斜め上方から視た外観斜視図
【図７】本発明に係る第２実施形態の電子機器のカード部材の装填時のコネクタ周りの斜め上方から視た外観斜視図
【図８】本発明に係る第２実施形態の電子機器のカード部材の装填状態のコネクタ周りの斜め上方から視た外観斜視図
【図９】本発明に係る第２実施形態の電子機器のカード部材の取出時のコネクタ周りの斜め上方から視た外観斜視図
【図１０】本発明に係る第３実施形態の電子機器のカード部材の装填時のコネクタ周りの斜め上方から視た外観斜視図
【図１１】本発明に係る第３実施形態の電子機器のカード部材の装填状態のコネクタ周りの斜め上方から視た外観斜視図
【図１２】本発明に係る第３実施形態の電子機器のカード部材の取出時のコネクタ周りの斜め上方から視た外観斜視図
【図１３】本発明に係る第４実施形態の電子機器のカード部材の装填時のコネクタ周りの斜め上方から視た外観斜視図
【図１４】本発明に係る第４実施形態の電子機器のカード部材の装填状態のコネクタ周りの斜め上方から視た外観斜視図
【図１５】本発明に係る第４実施形態の電子機器のカード部材の取出時のコネクタ周りの斜め上方から視た外観斜視図
【図１６】本発明に係る第５実施形態の電子機器のカード部材の装填時のコネクタ周りの斜め上方から視た外観斜視図
【図１７】本発明に係る第５実施形態の電子機器のカード部材の装填状態のコネクタ周りの斜め上方から視た外観斜視図
【図１８】本発明に係る第５実施形態の電子機器のカード部材の取出時のコネクタ周りの斜め上方から視た外観斜視図
【図１９】本発明に係る第６実施形態の電子機器のカード部材の装填時のコネクタ周りの斜め上方から視た外観斜視図
【図２０】本発明に係る第６実施形態の電子機器のカード部材の装填状態のコネクタ周りの斜め上方から視た外観斜視図
【図２１】本発明に係る第６実施形態の電子機器のカード部材の取出時のコネクタ周りの斜め上方から視た外観斜視図
【図２２】本発明に係る第７実施形態の電子機器のカード部材の装填時のコネクタ周りの斜め上方から視た外観斜視図
【図２３】本発明に係る第７実施形態の電子機器のカード部材の装填状態のコネクタ周りの斜め上方から視た外観斜視図
【図２４】本発明に係る第７実施形態の電子機器のカード部材の取出時のコネクタ周りの斜め下方から視た外観斜視図
【図２５】本発明に係る第８実施形態の電子機器のカード部材の装填時のコネクタ周りの斜め上方から視た外観斜視図
【図２６】本発明に係る第８実施形態の電子機器のカード部材の装填状態のコネクタ周りの斜め上方から視た外観斜視図
【図２７】本発明に係る第８実施形態の電子機器のカード部材の取出時のコネクタ周りの斜め上方から視た外観斜視図
【図２８】本発明に係る第９実施形態の電子機器のカード部材の装填時のコネクタ周りの斜め上方から視た外観斜視図
【図２９】本発明に係る第９実施形態の電子機器のカード部材周りの縦断面図
【図３０】本発明に係る第１０実施形態の電子機器のカード部材の装填時のコネクタ周りの斜め上方から視た外観斜視図
【図３１】本発明に係る第１０実施形態の電子機器のカード部材周りの縦断面図
【発明を実施するための形態】
【００１３】
以下、本発明に係る複数の実施形態の電子機器について図面を参照して説明する。
（第１実施形態）
図１に示すように、本発明に係る第１実施形態の電子機器１０は、筐体１１を構成するロワーカバー１２の電池パック収容部１３に電池パック１４が収容されており、このロワーカバー１２にロワーケース１５が被着される。
図２に示すように、ロワーカバー１２の電池パック収容部１３の側部にカードコネクタ１６が取り付けられており、このカードコネクタ１６にレバー部材１７を介してカード部材１が挿脱自在に取り付けられる。
図３に示すように、カード部材１は、引き出される際に、電池パック収容部１３内に突出するように、レバー部材１７とともにカードコネクタ１６から引き出される。
【００１４】
図４に示すように、カードコネクタ１６は、回路基板１８において、＋Ｚ方向を向く実装面１９に実装されている。
カードコネクタ１６は、回路基板１８に有する不図示のプリント回路に電気的に接続される不図示のコネクタ端子を内蔵しており、カード部材１が押圧を伴って挿入された際に、カード部材１に機械的に係合する不図示の係合機構を有する。
カードコネクタ１６は、カード部材１が機械的に係合された際に、コネクタ端子がカード部材１の不図示のカード端子に電気的に接続される。
【００１５】
レバー部材１７は、カードコネクタ１６の内側におけるカード部材１の挿脱方向に沿う内面に沿って配置された第１部材２０を備える。
レバー部材１７は、第１部材２０の先端部に直交して連結され、カードコネクタ１６の内側においてカード部材１の挿脱方向の奥側の端面に当接可能な第２部材２１を備える。
レバー部材１７は、第１部材２０の基端部に直交して連結され、カードコネクタ１６の外側においてカード部材１の挿脱方向の手前側の片面に沿う第３部材２２を備える。
第３部材２２の端部は、カード部材１の端部よりも少なくとも中央部よりに延伸している。
レバー部材１７は、第３部材２２に接続され、カード部材１から離れる方向に突出する第４部材２３を備える。
【００１６】
カード部材１の装填時において、レバー部材１７は、第３部材２２が、カードコネクタ１６に対面して配置されることにより、カード部材１を待ち受ける。
このとき、第２部材２１は、カードコネクタ１６内のいちばん奥の位置においてカード部材１を待ち受ける。
レバー部材１７は、カード部材１がカードコネクタ１６に対して挿入される際に、第３部材２２がカード部材１を案内する。
【００１７】
図５に示すように、カード部材１の装填状態において、第３部材２２がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材２２における挿脱方向の手前側の端面とが略同一面に沿う。
従って、カード部材１の挿脱方向の手前側の端面と、第３部材２２における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００１８】
図６に示すように、カード部材１の取出時において、操作者が指を第４部材２３に掛けてレバー部材１７を引き出すことにより、第２部材２１がカード部材１を引出側に押圧するために、カード部材１が引き出される。
従って、第４部材２３により、操作者の指が確実に引っ掛かり、カード部材１を確実に引き出せる。
【００１９】
レバー部材１７は、第２部材２１がカードコネクタ１６の挿脱方向にストロークし、引き出されたカード部材１はカードコネクタ１６から露呈する。
レバー部材１７を挿脱方向の手前側まで引き出した位置から、レバー部材１７のみをカードコネクタ１６内に再び押し込む。
これにより、カード部材１の上面を操作者が指を接触させて引き出して取り出すことができる。
この際、レバー部材１７はカードコネクタ１６に既に収容されているため、カード部材１の取出操作を行うにあたって障害とならない。
従って、レバー部材１７により、ロワーカバー１２の狭小部位に配置されたカードコネクタ１６に対してカード部材１を容易、かつ、確実に挿脱できる。
【００２０】
以上、説明したように第１実施形態の電子機器１０によれば、レバー部材１７が、カードコネクタ１６の内側におけるカード部材１の挿脱方向に沿う内面に沿って配置された第１部材２０を備える。
また、第１実施形態の電子機器１０によれば、第１部材２０に連結され、カードコネクタ１６の内側においてカード部材１の挿脱方向の奥側端面に当接可能な第２部材２１を備える。
そして、第１実施形態の電子機器１０によれば、第１部材２０に連結され、カードコネクタ１６の外側においてカード部材１の挿脱方向の手前側の片面に沿う第３部材２２を備える。
従って、第１実施形態の電子機器１０によれば、レバー部材１７により、ロワーカバー１２の狭小部位に配置されたカードコネクタ１６に対してカード部材１を容易、かつ、確実に挿脱できる。
【００２１】
また、第１実施形態の電子機器１０によれば、第３部材２２に接続され、カード部材１から離れる方向に突出する第４部材２３を備える。
従って、第１実施形態の電子機器１０によれば、第４部材２３により、操作者の指が確実に引っ掛かり、カード部材１を確実に引き出せる。
【００２２】
そして、第１実施形態の電子機器１０によれば、カードコネクタ１６に挿入されたカード部材１の挿脱方向の手前側の端面と、第３部材２２における挿脱方向の手前側の端面とが略同一面に沿う。
従って、第１実施形態の電子機器１０によれば、カード部材１がカードコネクタ１６に対して正しい位置まで挿入されたことを操作者が確認できる。
また、第１実施形態の電子機器１０によれば、過度な力でカード部材１をカードコネクタ１６に対してさらに挿入しないようにして、カード部材１およびカードコネクタ１６の破損を防止できる。
【００２３】
（第２実施形態）
次に、本発明に係る第２実施形態の電子機器について説明する。
なお、以下の各実施形態において、前述した第１実施形態と重複する構成要素や機能的に同様な構成要素については、図中に同一符号あるいは相当符号を付することによって説明を簡略化あるいは省略する。
【００２４】
図７に示すように、本発明に係る第２実施形態の電子機器３０に適用されるレバー部材３１は、カードコネクタ１６の内側におけるカード部材１の挿脱方向に沿う内面に沿って配置された第１部材３２を備える。
レバー部材３１は、第１部材３２の先端部に直交して連結され、カードコネクタ１６の内側においてカード部材１の挿脱方向の奥側の端面に当接可能な第２部材３３を備える。
レバー部材３１は、第１部材３２の基端部に直交して連結され、カードコネクタ１６の外側においてカード部材１の挿脱方向の手前側の両面に沿う第３部材３４を備える。
従って、第３部材３４がカード部材１の両面に沿うことにより、カード部材１を確実に案内できる。
第３部材３４の端部は、カード部材１の端部よりも少なくとも中央部よりに延伸している。
レバー部材３１は、第３部材３４に接続され、カード部材１から離れる方向に突出する第４部材３５を備える。
【００２５】
カード部材１の装填時において、レバー部材３１は、カード部材１がカードコネクタ１６に装填される際に、第３部材３４が、カードコネクタ１６に対面して配置されることにより、カード部材１を待ち受ける。
このとき、第２部材３３は、カードコネクタ１６内のいちばん奥の位置においてカード部材１を待ち受ける。
【００２６】
図８に示すように、カード部材１の装填状態において、第３部材３４がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材３４における挿脱方向の手前側の端面とが略同一面に沿う。
従って、カード部材１の挿脱方向の手前側の端面と、第３部材３４における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００２７】
図９に示すように、カード部材１の取出時において、操作者が指を第４部材３５に掛けてレバー部材３１を引き出すことにより、第２部材３３がカード部材１を引出側に押圧するために、カード部材１が引き出される。
従って、第４部材３５により、操作者の指が確実に引っ掛かり、カード部材１を確実に引き出せる。
【００２８】
レバー部材３１は、第２部材３３がカードコネクタ１６の挿脱方向にストロークし、引き出されたカード部材１はカードコネクタ１６から半分以上露呈する。
レバー部材３１を挿脱方向の手前側まで引き出した位置から、レバー部材３１のみをカードコネクタ１６内に再び押し込む。
これにより、カード部材１の上面を操作者が指を接触させて引き出して取り出すことができる。
この際、レバー部材３１はカードコネクタ１６に既に収容されているため、カード部材１の取出操作を行うにあたって障害とならない。
従って、レバー部材３１により、ロワーカバー１２の狭小部位に配置されたカードコネクタ１６に対してカード部材１を容易、かつ、確実に挿脱できる。
【００２９】
以上、説明したように第２実施形態の電子機器３０によれば、第３部材３４がカード部材１の両面に沿うために、カード部材１を確実に案内できる。
【００３０】
（第３実施形態）
次に、本発明に係る第３実施形態の電子機器について説明する。
図１０に示すように、本発明に係る第３実施形態の電子機器４０に適用されるレバー部材４１は、カードコネクタ１６の内側におけるカード部材１の挿脱方向に沿う内面に沿って配置された第１部材４２を備える。
レバー部材４１は、第１部材４２の先端部に直交して連結され、カードコネクタ１６の内側においてカード部材１の挿脱方向の奥側の端面に当接可能な第２部材４３を備える。
レバー部材４１は、第１部材４２の基端部に直交して連結され、カードコネクタ１６の外側においてカード部材１の周囲を覆う枠形状に形成された第３部材４４を備える。
レバー部材４１は、第３部材４４に接続され、カード部材１から離れる方向に突出する第４部材４５を備える。
【００３１】
カード部材１の装填時において、レバー部材４１は、カード部材１がカードコネクタ１６に装填される際に、第３部材４４が、カードコネクタ１６に対面して配置されることにより、カード部材１を待ち受ける。
このとき、第２部材４３は、カードコネクタ１６内のいちばん奥の位置においてカード部材１を待ち受ける。
【００３２】
図１１に示すように、カード部材１の装填状態において、第３部材４４がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材４４における挿脱方向の手前側の端面とが略同一面に沿う。
従って、カード部材１の挿脱方向の手前側の端面と、第３部材４４における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００３３】
図１２に示すように、カード部材１の取出時において、操作者が指を第４部材４５に掛けてレバー部材４１を引き出すことにより、第２部材４３がカード部材１を引出側に押圧するために、カード部材１が引き出される。
従って、第４部材４５により、操作者の指が確実に引っ掛かり、カード部材１を確実に引き出せる。
【００３４】
レバー部材４１は、第２部材４３がカードコネクタ１６の挿脱方向にストロークし、引き出されたカード部材１はカードコネクタ１６から半分以上露呈する。
レバー部材４１を挿脱方向の手前側まで引き出した位置から、レバー部材４１のみをカードコネクタ１６内に再び押し込む。
これにより、カード部材１の上面を操作者が指を接触させて引き出して取り出すことができる。
この際、レバー部材４１はカードコネクタ１６に既に収容されているため、カード部材１の取出操作を行うにあたって障害とならない。
従って、レバー部材４１により、ロワーカバー１２の狭小部位に配置されたカードコネクタ１６に対してカード部材１を容易、かつ、確実に挿脱できる。
【００３５】
（第４実施形態）
次に、本発明に係る第４実施形態の電子機器について説明する。
図１３に示すように、本発明に係る第４実施形態の電子機器５０は、カードコネクタ１６が、回路基板１８において、−Ｚ方向に実装されている。
電子機器５０に適用されるレバー部材５１は、カードコネクタ１６の内側におけるカード部材１の挿脱方向に沿う内面に沿って配置された第１部材５２を備える。
レバー部材５１は、第１部材５２の先端部に直交して連結され、カードコネクタ１６の内側においてカード部材１の挿脱方向の奥側の端面に当接可能な第２部材５３を備える。
レバー部材５１は、第１部材５２の基端部に直交して連結され、カードコネクタ１６の外側においてカード部材１の挿脱方向の手前側の片面に沿う第３部材５４を備える。
第３部材５４の端部は、カード部材１の端部よりも少なくとも中央部よりに延伸している。
第３部材５４は、厚み寸法が、カードコネクタ１６の厚み寸法よりも大きい。
従って、第３部材５４の厚み寸法が、カードコネクタ１６の厚み寸法よりも大きいことにより、操作者の指が第３部材５４に確実に引っ掛かり、引出操作をさらに容易にできる。
【００３６】
カード部材１の装填時において、レバー部材５１は、カード部材１がカードコネクタ１６に装填される際に、第３部材５４が、カードコネクタ１６に対面して配置されることにより、カード部材１を待ち受ける。
このとき、第２部材５３は、カードコネクタ１６内のいちばん奥の位置においてカード部材１を待ち受ける。
【００３７】
図１４に示すように、カード部材１の装填状態において、第３部材５４がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材５４における挿脱方向の手前側の端面とが略同一面に沿う。
従って、カード部材１の挿脱方向の手前側の端面と、第３部材５４における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００３８】
図１５に示すように、カード部材１の取出時において、操作者が、カードコネクタ１６の厚み寸法よりも大きい第３部材５４に指を掛けてレバー部材５１を引き出す。
これにより、第２部材５３がカード部材１を引出側に押圧するために、カード部材１が引き出される。
【００３９】
レバー部材５１は、第２部材５３がカードコネクタ１６の挿脱方向にストロークし、引き出されたカード部材１はカードコネクタ１６から露呈する。
レバー部材５１を挿脱方向の手前側まで引き出した位置から、レバー部材５１のみをカードコネクタ１６内に再び押し込む。
これにより、カード部材１の上面を操作者が指を接触させて引き出して取り出すことができる。
この際、レバー部材５１はカードコネクタ１６に既に収容されているため、カード部材１の取出操作を行うにあたって障害とならない。
従って、レバー部材５１により、ロワーカバー１２の狭小部位に配置されたカードコネクタ１６に対してカード部材１を容易、かつ、確実に挿脱できる。
【００４０】
（第５実施形態）
次に、本発明に係る第５実施形態の電子機器について説明する。
図１６に示すように、本発明に係る第５実施形態の電子機器６０は、カードコネクタ１６が、回路基板１８において、−Ｚ方向に実装されている。
電子機器６０に適用されるレバー部材６１は、カードコネクタ１６の内側におけるカード部材１の挿脱方向に沿う内面に沿って配置された第１部材６２を備える。
レバー部材６１は、第１部材６２の先端部に直交して連結され、カードコネクタ１６の内側においてカード部材１の挿脱方向の奥側の端面に当接可能な第２部材６３を備える。
レバー部材６１は、第１部材６２の基端部に直交して連結され、カードコネクタ１６の外側においてカード部材１の挿脱方向の手前側の片面に沿う第３部材６４を備える。
第３部材６４の端部は、カード部材１の端部よりも少なくとも中央部よりに延伸している。
レバー部材６１は、第３部材６４に接続され、カード部材１から離れる方向に突出する第４部材６５を備える。
【００４１】
カード部材１の装填時において、レバー部材６１は、カード部材１がカードコネクタ１６に装填される際に、第３部材６４が、カードコネクタ１６に対面して配置されることにより、カード部材１を待ち受ける。
このとき、第２部材６３は、カードコネクタ１６内のいちばん奥の位置においてカード部材１を待ち受ける。
【００４２】
図１７に示すように、カード部材１の装填状態において、第３部材６４がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材６４における挿脱方向の手前側の端面とが略同一面に沿う。
従って、カード部材１の挿脱方向の手前側の端面と、第３部材６４における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００４３】
図１８に示すように、カード部材１の取出時において、操作者が指を第４部材６５に掛けてレバー部材６１を引き出すことにより、第２部材６３がカード部材１を引出側に押圧するために、カード部材１が引き出される。
従って、第４部材６５により、操作者の指が確実に引っ掛かり、カード部材１を確実に引き出せる。
【００４４】
レバー部材６１は、第２部材６３がカードコネクタ１６の挿脱方向にストロークし、引き出されたカード部材１はカードコネクタ１６から露呈する。
レバー部材６１を挿脱方向の手前側まで引き出した位置から、レバー部材６１のみをカードコネクタ１６内に再び押し込む。
これにより、カード部材１の上面を操作者が指を接触させて引き出して取り出すことができる。
この際、レバー部材６１はカードコネクタ１６に既に収容されているため、カード部材１の取出操作を行うにあたって障害とならない。
従って、レバー部材６１により、ロワーカバー１２の狭小部位に配置されたカードコネクタ１６に対してカード部材１を容易、かつ、確実に挿脱できる。
【００４５】
（第６実施形態）
次に、本発明に係る第６実施形態の電子機器について説明する。
図１９に示すように、本発明に係る第６実施形態の電子機器７０は、カードコネクタ１６が、回路基板１８において、−Ｚ方向に実装されている。
電子機器７０に適用されるレバー部材７１は、カードコネクタ１６の内側におけるカード部材１の挿脱方向に沿う内面に沿って配置された第１部材７２を備える。
レバー部材７１は、第１部材７２の先端部に直交して連結され、カードコネクタ１６の内側においてカード部材１の挿脱方向の奥側の端面に当接可能な第２部材７３を備える。
レバー部材７１は、第１部材３２の基端部に直交して連結され、カードコネクタ１６の外側においてカード部材１の挿脱方向の手前側の両面に沿う第３部材７４を備える。
第３部材７４の端部は、カード部材１の端部よりも少なくとも中央部よりに延伸している。
第３部材７４は、厚み寸法が、カードコネクタ１６の厚み寸法よりも大きい。
従って、第３部材７４の厚み寸法が、カードコネクタ１６の厚み寸法よりも大きいことにより、操作者の指が第３部材７４に確実に引っ掛かり、引出操作をさらに容易にできる。
ここで、レバー部材７１は、第３部材７４に接続され、カード部材１から離れる方向に突出する第４部材７５を備えることもできる。
【００４６】
カード部材１の装填時において、レバー部材７１は、カード部材１がカードコネクタ１６に装填される際に、第３部材７４が、カードコネクタ１６に対面して配置されることにより、カード部材１を待ち受ける。
このとき、第２部材７３は、カードコネクタ１６内のいちばん奥の位置においてカード部材１を待ち受ける。
【００４７】
図２０に示すように、カード部材１の装填状態において、第３部材７４がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材７４における挿脱方向の手前側の端面とが略同一面に沿う。
従って、カード部材１の挿脱方向の手前側の端面と、第３部材７４における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００４８】
図２１に示すように、カード部材１の取出時において、操作者が、カードコネクタ１６の厚み寸法よりも大きい第３部材７４に指を掛けてレバー部材７１を引き出す。
これにより、第２部材７３がカード部材１を引出側に押圧するために、カード部材１が引き出される。
【００４９】
レバー部材７１は、第２部材７３がカードコネクタ１６の挿脱方向にストロークし、引き出されたカード部材１はカードコネクタ１６から露呈する。
レバー部材７１を挿脱方向の手前側まで引き出した位置から、レバー部材７１のみをカードコネクタ１６内に再び押し込む。
これにより、カード部材１の上面を操作者が指を接触させて引き出して取り出すことができる。
この際、レバー部材７１はカードコネクタ１６に既に収容されているため、カード部材１の取出操作を行うにあたって障害とならない。
従って、レバー部材７１により、ロワーカバー１２の狭小部位に配置されたカードコネクタ１６に対してカード部材１を容易、かつ、確実に挿脱できる。
【００５０】
（第７実施形態）
次に、本発明に係る第７実施形態の電子機器について説明する。
図２２に示すように、本発明に係る第７実施形態の電子機器８０は、カードコネクタ１６が、回路基板１８において、−Ｚ方向に実装されている。
電子機器８０に適用されるレバー部材８１は、カードコネクタ１６の内側におけるカード部材１の挿脱方向に沿う内面に沿って配置された第１部材８２を備える。
レバー部材８１は、第１部材８２の先端部に直交して連結され、カードコネクタ１６の内側においてカード部材１の挿脱方向の奥側の端面に当接可能な第２部材８３を備える。
レバー部材８１は、第１部材８２の基端部に直交して連結され、カードコネクタ１６の外側においてカード部材１の周囲を覆う枠形状に形成された第３部材８４を備える。
ここで、レバー部材８１は、第３部材８４に接続され、カード部材１から離れる方向に突出する第４部材８５を備えることもできる。
【００５１】
カード部材１の装填時において、レバー部材８１は、カード部材１がカードコネクタ１６に装填される際に、第３部材８４が、カードコネクタ１６に対面して配置されることにより、カード部材１を待ち受ける。
このとき、第２部材８３は、カードコネクタ１６内のいちばん奥の位置においてカード部材１を待ち受ける。
【００５２】
図２３に示すように、カード部材１の装填状態において、第３部材８４がカード部材１を案内することにより、カード部材１が位置および向きを正しく案内される。
カード部材１がカードコネクタ１６に対して押圧を伴って挿入されることにより、カードコネクタ１６に挿入されたカード部材１の挿脱方向の手前側の端面と、第３部材８４における挿脱方向の手前側の端面とが略同一面に沿う。
従って、カード部材１の挿脱方向の手前側の端面と、第３部材８４における挿脱方向の手前側の端面とが略同一面に沿うことにより、カード部材１がカードコネクタ１６に対して正しい位置まで挿入されたことを操作者が確認できる。
また、過度な力でカード部材１をカードコネクタ１６に対してさらに挿入しないようにして、カード部材１およびカードコネクタ１６の破損を防止できる。
【００５３】
図２４に示すように、カード部材１の取出時において、操作者が第３部材８４に掛けてレバー部材８１を引き出すことにより、第２部材８３がカード部材１を引出側に押圧するために、カード部材１が引き出される。
【００５４】
レバー部材８１は、第２部材８３がカードコネクタ１６の挿脱方向にストロークし、引き出されたカード部材１はカードコネクタ１６から露呈する。
レバー部材８１を挿脱方向の手前側まで引き出した位置から、レバー部材８１のみをカードコネクタ１６内に再び押し込む。
これにより、カード部材１の上面を操作者が指を接触させて引き出して取り出すことができる。
この際、レバー部材８１はカードコネクタ１６に既に収容されているため、カード部材１の取出操作を行うにあたって障害とならない。
従って、レバー部材８１により、ロワーカバー１２の狭小部位に配置されたカードコネクタ１６に対してカード部材１を容易、かつ、確実に挿脱できる。
【００５５】
（第８実施形態）
次に、本発明に係る第８実施形態の電子機器について説明する。
図２５に示すように、本発明に係る第８実施形態の電子機器９０は、カードコネクタ１６が、回路基板１８において、−Ｚ方向に実装されている。
電子機器９０に適用されるレバー部材９１は、カードコネクタ１６の内側におけるカード部材１の挿脱方向に沿う内面に沿って配置された第１部材９２を備える。
レバー部材９１は、第１部材９２の先端部に直交して連結され、カードコネクタ１６の内側においてカード部材１の挿脱方向の奥側の端面に当接可能な第２部材９３を備える。
レバー部材９１は、第１部材９２の基端部に連結された第３部材９４を備える。
第３部材９４は、カード部材１の片面にのみ沿うものとして、カード部材１が矩形ではなく、切欠部２がある場合に、切欠部２の平面輪郭に対応して屈曲成形されている。
従って、第３部材が直線状である場合に比較して、他の部材、部品の邪魔にならないために、筐体１１の内部空間を有効活用できる。
ここで、回路基板１８に切欠９５を有する場合、回路基板１８の切欠９５に沿って第３部材９４が形成されることにより、筐体１１の内部空間を、さらに有効活用できる。
レバー部材９１は、第３部材９４に接続され、カード部材１から離れる方向に突出する第４部材９６を備える。
【００５６】
カード部材１の装填時において、レバー部材９１は、カード部材１がカードコネクタ１６に装填される際に、第３部材９４が、カードコネクタ１６に対面して配置されることにより、カード部材１を待ち受ける。
このとき、第２部材９３は、カードコネクタ１６内のいちばん奥の位置においてカード部材１を待ち受ける。
【００５７】
図２６に示すように、カード部材１の装填状態において、第３部材９４がカード部材１を案内することにより、カード部材１が位置および向きを正しく案内される。
図２７に示すように、カード部材１の取出時において、操作者が第４部材９６に指を掛けてレバー部材９１を引き出すことにより、第２部材９３がカード部材１を引出側に押圧するために、カード部材１が引き出される。
【００５８】
レバー部材９１は、第２部材９３がカードコネクタ１６の挿脱方向にストロークし、引き出されたカード部材１はカードコネクタ１６から露呈する。
レバー部材９１を挿脱方向の手前側まで引き出した位置から、レバー部材９１のみをカードコネクタ１６内に再び押し込む。
これにより、カード部材１の上面を操作者が指を接触させて引き出して取り出すことができる。
この際、レバー部材９１はカードコネクタ１６に既に収容されているため、カード部材１の取出操作を行うにあたって障害とならない。
従って、レバー部材９１により、ロワーカバー１２の狭小部位に配置されたカードコネクタ１６に対してカード部材１を容易、かつ、確実に挿脱できる。
【００５９】
（第９実施形態）
次に、本発明に係る第９実施形態の電子機器について説明する。
図２８および図２９に示すように、本発明に係る第９実施形態の電子機器１００は、カードコネクタ１６が、回路基板１８において、−Ｚ方向に実装されている。
電子機器１００に適用されるレバー部材１０１は、カードコネクタ１６の内側におけるカード部材１の挿脱方向に沿う内面に沿って配置された第１部材１０２を備える。
第１部材１０２は、トレイ機能を有する。
レバー部材１０１は、第１部材１０２の先端部に直交して連結され、カードコネクタ１６の内側においてカード部材１の挿脱方向の奥側の端面に当接可能な第２部材１０３を備える。
レバー部材１０１は、第１部材１０２の基端部に連結された第３部材１０４を備える。
レバー部材１０１は、第３部材１０４に接続され、カード部材１から離れる方向に突出する第４部材１０５を備える。
【００６０】
（第１０実施形態）
次に、本発明に係る第１０実施形態の電子機器について説明する。
図３０および図３１に示すように、本発明に係る第１０実施形態の電子機器１１０は、カードコネクタ１６が、回路基板１８において、＋Ｚ方向に実装されている。
電子機器１１０に適用されるレバー部材１１１は、カードコネクタ１６の内側におけるカード部材１の挿脱方向に沿う内面に沿って配置された第１部材１１２を備える。
第１部材１１２は、トレイ機能を有する。
レバー部材１１１は、第１部材１１２の先端部に直交して連結され、カードコネクタ１６の内側においてカード部材１の挿脱方向の奥側の端面に当接可能な第２部材１１３を備える。
レバー部材１１１は、第１部材１１２の基端部に連結された第３部材１１４を備える。
レバー部材１１１は、第３部材１１４に接続され、カード部材１から離れる方向に突出する第４部材１１５を備える。
【００６１】
なお、本発明の電子機器において回路基板，カードコネクタ等は、前述した各実施形態に限定されるものでなく、適宜な変形や改良等が可能である。
【産業上の利用可能性】
【００６２】
以上述べたように、本発明の電子機器によれば、筐体の狭小部位に配置されたコネクタに対してカード部材を容易、かつ、確実に挿脱できるものである。
以上の結果として、カード部材の取り扱い性を向上できる電子機器を提供でき、本発明の産業上の利用可能性は大といえる。
【符号の説明】
【００６３】
１  カード部材
１０，３０，４０，５０，６０，７０，８０，９０，１００，１１０  電子機器
１６  カードコネクタ（コネクタ）
１７，３１，４１，５１，６１，７１，８１，９１，１０１，１１１  レバー部材
１８  回路基板
２０，３２，４２，５２，６２，７２，８２，９２，１０２，１１２  第１部材
２１，３３，４３，５３，６３，７３，８３，９３，１０３，１１３  第２部材
２２，３４，４４，５４，６４，７４，８４，９４，１０４，１１４  第３部材
２３，３５，４５，６５，７５，８５，９６，１０５，１１５  第４部材
【図１】
2012155676.tif 000003
【図２】
2012155676.tif 000004
【図３】
2012155676.tif 000005
【図４】
2012155676.tif 000006
【図５】
2012155676.tif 000007
【図６】
2012155676.tif 000008
【図７】
2012155676.tif 000009
【図８】
2012155676.tif 000010
【図９】
2012155676.tif 000011
【図１０】
2012155676.tif 000012
【図１１】
2012155676.tif 000013
【図１２】
2012155676.tif 000014
【図１３】
2012155676.tif 000015
【図１４】
2012155676.tif 000016
【図１５】
2012155676.tif 000017
【図１６】
2012155676.tif 000018
【図１７】
2012155676.tif 000019
【図１８】
2012155676.tif 000020
【図１９】
2012155676.tif 000021
【図２０】
2012155676.tif 000022
【図２１】
2012155676.tif 000023
【図２２】
2012155676.tif 000024
【図２３】
2012155676.tif 000025
【図２４】
2012155676.tif 000026
【図２５】
2012155676.tif 000027
【図２６】
2012155676.tif 000028
【図２７】
2012155676.tif 000029
【図２８】
2012155676.tif 000030
【図２９】
2012155676.tif 000031
【図３０】
2012155676.tif 000032
【図３１】
2012155676.tif 000033